(57)【要約】【課題】  カップ麺や、容器入りスナック菓子等の容器に用いられる紙製の蓋材において、使用者の不注意によって稀に起こる該蓋材のエッジによる手指の切傷のリスクを無くすことを課題とする。【解決手段】  基材に紙を含む積層体からなるシート状の蓋材であって、該蓋材周縁部が、蓋材外縁、又は外縁端からわずかに内側の位置に、該積層体の表面層から紙層の少なくとも中間位置に至る切欠き部を形成し、該切欠き部によって蓋材周縁部の強度を弱くしたこと特徴とする蓋材を提供する。【選択図】図１
2014024560.tif 000002
【特許請求の範囲】
【請求項１】
基材に紙層を含む積層体からなるシート状の蓋材であって、該蓋材周縁部に、前記積層体の表面から前記紙層の少なくとも中間位置に至る切欠き部を有することを特徴とする蓋材。
【請求項２】
前記切欠き部が、前記蓋材外縁に、該蓋材外縁端から蓋材中心方向に０．５〜２ｍｍの幅で形成されていることを特徴とする請求項１に記載の蓋材。
【請求項３】
前記切欠き部が、前記蓋材外縁端から蓋材中心方向に２ｍｍ以内入り込んだ位置において該外縁端に沿って線状又は溝状に形成されていることを特徴とする請求項１に記載の蓋材。
【請求項４】
前記切欠き部が、前記入り込んだ位置を基点として、蓋材中心方向に０．１〜２ｍｍの幅で形成されていることを特徴とする請求項３に記載の蓋材。
【請求項５】
前記切欠き部が、複数本形成されている請求項３又は４に記載の蓋材。
【請求項６】
前記積層体が前記蓋材の表面側から裏側へ、紙層、合成樹脂層、アルミ箔層を順に含み、前記切欠き部が、該積層体表面から紙層の中間位置を超え、かつアルミ箔層を超えない位置まで達していることを特徴とする請求項１ないし５のいずれかに記載の蓋材。
【請求項７】
前記蓋材が該蓋材を容器本体から引き剥がすためのタブを有し、前記切欠き部が、該タブ部分の蓋材周縁部に形成されていることを特徴とする請求項１ないし６のいずれかに記載の蓋材。
【請求項８】
前記切欠き部が、蓋材周縁部に蓋材を一周して形成されていることを特徴とする請求項１ないし７のいずれかに記載の蓋材。
【請求項９】
請求項１から８のいずれかに記載の蓋材の製造方法であって、前記切欠き部を、前記蓋材の表面側からレーザ光を照射して形成する蓋材の製造方法。
【請求項１０】
請求項１から８のいずれかに記載の蓋材の製造方法であって、前記切欠き部を、前記蓋材の表面側からダイカッターを用いて形成する蓋材の製造方法。
【発明の詳細な説明】
【技術分野】
【０００１】
本発明は、即席食品等の容器を密封するための蓋材に関する。
【背景技術】
【０００２】
カップ麺やカップ入りスナック菓子等の容器は、紙製又は合成樹脂製等の容器本体と、この容器本体の開口部を覆って密封する蓋材からなっている。蓋材は合成樹脂製の被せ蓋タイプのものもあるが、紙を基材として、これに合成樹脂やアルミ箔等を積層した紙製の蓋材が多く、このような蓋材を容器開口フランジ部に熱接着させたタイプのものが主流である（本発明で「紙製の蓋材」とは、紙を基材として合成樹脂、アルミ箔等を積層されたものを含む）。
【０００３】
上記のような、カップ麺やスナック菓子等の紙製の蓋材は、基材である紙にポリエチレン等の合成樹脂やアルミ箔等を積層した積層体のシートを打ち抜いて作成されるが、紙を基材として薄く作られているため、使用者の不注意によって、稀に指を蓋のエッジで傷つける可能性があった。具体的には、容器本体フランジ部からはみ出している蓋材外縁やタブ（摘み部）の部分において、手指を傷つける可能性があった。
【０００４】
現在までこのような問題点に対する有効な解決手段を記した先行技術は無いと思われるが、常識的な手段として、打ち抜かれて形成された蓋材外縁端を丸めてやることが考えられる。特許文献１はレーザ光をシート状積層体の端部に照射して、端部の合成樹脂層を溶融させるものであるが、積層体のデラミ防止や、積層体中にサンドイッチ状に挟まれたアルミ箔の腐食防止を目的とするもので、手指保護の効果については記載されていない。また、特許文献１の方法では、シートの端部を溶融した合成樹脂で被覆するだけなので、端部の厚みや強度が大きく変るわけではなく、相変わらず手指を傷つける可能性が無いとはいえない。
【先行技術文献】
【特許文献】
【０００５】
【特許文献１】特開昭６３−６４７２９号公報
【発明の概要】
【発明が解決しようとする課題】
【０００６】
上記のように、現在まで、使用者の不注意によって稀におこる、紙製の蓋のエッジによる手指の切傷のリスクについて、これを無くす有効な手段は先行技術が知られていない。そこで、本発明は、紙製の蓋材におけるこのようなリスクを、できる限り無くした蓋材を提供とすることを課題とした。
【課題を解決するための手段】
【０００７】
カップ麺や、カップ入りスナック菓子等の容器に用いられる紙製の蓋材において、手指を傷つける可能性を無くす方法として、上述の特許文献１のような端部処理を行ったとしても、蓋材周縁部の強度や蓋材外縁の厚みが大きく変らなければ、相変わらずその可能性を皆無にすることは困難である（本発明で「蓋材周縁部」とは、蓋材周縁においてある程度の幅を考慮した領域とする。また、「外縁」とは蓋材周縁部のうち、端部（外縁端）を含む最も外側の領域を指す）。そこで、検討した結果、蓋材周縁部に外縁端に沿うように溝状の切欠きを作り、蓋材周縁部を強度のないヘナヘナの状態にすることで、問題を解決できることが分かった。
【０００８】
すなわち、本発明は、基材に紙層を含む積層体からなるシート状の蓋材（紙製蓋材）であって、該蓋材周縁部に前記積層体の表面から前記紙層の少なくとも中間位置（厚み方向の中間位置）に至る切欠き部を有することを特徴とする蓋材である。
【０００９】
そして、具体的には、蓋材周縁部の特に蓋材外縁において、切欠き部を形成することを本発明の第１の形態とした。この場合、蓋材外縁に形成された切欠き部が、前記蓋材外縁端に沿って、外縁端から蓋材中心方向に０．５〜２ｍｍの幅で形成されていることが好ましい。
このように蓋材表面から、基材とする紙層の厚みの少なくとも半分以上の位置まで切欠き部を蓋材周縁部の外縁に設け、しかも切欠き部にある程度の幅を持たせることで、蓋材外縁は強度のないヘナヘナの状態となり、手指を傷つけることがない。
【００１０】
上記のような本発明の第１形態の蓋材によれば、手指を傷つける可能性が無いが、周縁部外縁に全く強度がないため、容器本体のフランジ部にこの蓋材を位置決めして、容器本体と蓋材を密封シールする際等において、切欠いた外縁部分がよれて蓋材が位置ズレする場合がある。
【００１１】
そこで、外縁（端部を含む部分）においては蓋材を形成する積層体の積層構造を維持したまま、そのわずかに内側の位置に、前記切欠き部を設けることでも、手指を傷つけることなく、しかも、蓋材の密封シール時の位置ズレの問題も解決できることを見出し、本発明の第２の形態とした。
【００１２】
すなわち、本発明の第２形態は、基材に紙を含む積層体からなるシート状の蓋材（紙製蓋材）において、切欠き部が、前記蓋材外縁端から蓋材中心方向に２ｍｍ以内入り込んだ位置（外縁端から２ｍｍを越えない位置）において、該蓋材外縁端に沿って線状又は溝状に形成されている蓋材である。
このように蓋材の外縁は蓋シートの積層構造を残して、そのわずかに内側に線状又は溝状に切欠き部を設けることによれば、周縁部の強度が弱いことで手指を傷つけることがなく、同時に、外縁に積層構造を残していることで、外縁がよれることが無く、また、切欠きが無い場合と同様に蓋材形状が維持され易いため、蓋材の密封シール時の位置ズレ等の問題を起こしにくい。
【００１３】
また、前記外縁のわずかに内側に形成した切欠き部は、外縁端から２ｍｍ以内の位置を基点とし、好ましくは幅０．１〜２ｍｍ程度の線状ないし溝状に形成されるのが良いが、切欠き部の幅が狭い場合は複数本形成することで、より効果を高めることができる。
【００１４】
また、本発明は、上記第１、第２の形態において、蓋材を形成する前記積層体が、蓋材の表面側から裏側（容器本体側）へ、紙層、合成樹脂層、アルミ箔層を順に含む積層体であり、前記切欠き部が積層体表面から紙層の中間位置を超え、かつアルミ箔層を超えない位置まで達していることが好ましい。なお、この紙層とアルミ箔層に挟まれた合成樹脂層は、複数の合成樹脂層を有するものでもよい。また、本発明でいう紙層の中間位置とは、シート状の蓋材における紙層の厚さ方向の半分の位置をいい、紙層の中間位置を越えて切除されていれば、蓋材周縁部の強度はかなり弱められる。
【００１５】
このようなアルミ箔層を有する積層構造は、カップ麺容器用の蓋材の場合にはデッドホールド性を持たせるために、また、スナック菓子容器の蓋材の場合には水分や空気の透過性を抑えるために、それぞれ紙層よりも内側（容器側）にアルミ箔の層を形成したもので、食品用容器の蓋材においては一般的な構造である。この構造の場合、例えば、炭酸ガスレーザを用いて切欠き部を形成すれば、レーザはアルミ箔層を容易に通過しないので、アルミ箔の層の手前まで切欠き部を形成することは容易である。
【００１６】
本発明は上記した構造を有する蓋材であるが、手指を傷つけることを防止することを目的としているので、切欠き部を蓋材外縁端に沿って蓋材を一周して形成するのが好ましいが、蓋材は容器本体の開口フランジ部に接着して商品化されるので、容器フランジ部から張り出して形成される、蓋材を引き剥がすためのタブの部分だけに、該タブ部の蓋材外縁端に沿って設けることもできる。
【００１７】
また、以上のような切欠き部を形成する方法としては、前述のように蓋材の表面からレーザ光を当てて形成することが好ましい。レーザ光を用いれば、レーザ光がアルミ箔層を容易に通過しないので、蓋材の表面側からアルミ箔層手前までを溶融、焼失させて、切欠き部を容易に形成できる。
【００１８】
また、他の形成方法としては、蓋材の表面からダイカッターを用いて、ハーフカットする方法も好ましい。この方法によれば、蓋材の表面側に例えば湯切り部形成のためのハーフカットを形成する場合等において、該形成の操作と同時に切欠き部を形成することもできる。
【発明の効果】
【００１９】
本発明によれば、カップ麺や容器入りスナック菓子等の容器に用いられる紙製の蓋材において、蓋材の周縁部が強度のないヘナヘナの状態であるため、エッジによって手指を傷つけることがない。
【図面の簡単な説明】
【００２０】
【図１】本発明の第２形態の（表側）蓋材平面図である。
【図２】本発明の第２形態（Ａ）、第１形態（Ｂ）及び第２形態の変形例（Ｃ）における蓋材周縁部の平面拡大図である。
【図３】本発明の第２形態（Ａ）、第１形態（Ｂ）及び第２形態の変形例（Ｃ）における蓋材周縁部の断面拡大図である。
【発明を実施するための形態】
【００２１】
以下、本発明の実施形態による蓋材の一例について、図面を参照して説明する。
図１は、切欠き部を蓋材１全周に形成した実施形態２の本発明のカップ入り即席焼きそば用蓋材の平面図（表面側）であり、蓋材剥離用の開口用タブ２と、湯切り孔形成用のタブ３とを有している。蓋材１は図示しないその裏面（容器本体側の面）において、蓋材外縁と外形が略同形同大の開口フランジ部を有する紙製又は合成樹脂製の容器本体に、該フランジ部と熱融着等によって接着されて、容器内を密封状態とする。
【００２２】
そして、調理、喫食時には、開口用タブ２を引いて蓋材１を容器本体から半分ほど引き剥がし、この開口部から熱湯を注加して容器内の即席麺を湯戻しする。湯戻し後、湯切り孔形成用タブ３を、蓋材表面側に形成したハーフカット４に沿って、ハーフカット４の外側部分（平面視でタブ３側の領域）の表面部シートを剥がしてその下面に形成されている湯切り孔（図示せず）を開口する。この湯切り孔から湯を捨てた後、再び開口用タブ２を持って蓋材１を容器から完全に剥がし取り、容器内の麺にソース等を絡めて味付けし、喫食する。このような蓋材１において、その周縁部に外縁端５からわずかに内側に、蓋材外縁端５に沿って、蓋材表面側に切欠き部１０が形成されている。
【００２３】
図２のＡは図１の実施形態２の蓋材周縁部付近の  平面拡大図（一部）であり、図３のＡはそのａ−ａ断面拡大図である。蓋材１は湯切り孔開口用のハーフカット４の外側部分（平面視でタブ３側の領域）を除いて、一例として表面側から、ＰＥＴ（ポリエチレンテレフタレート）層２１、紙層２２、ＰＥ（ポリエチレン）層２３、アルミ箔層２４、シーラント層２５の順に積層されている（ハーフカット４の外側部分は、紙層を含む表面シートを剥離するための離型剤層を紙層とアルミ箔層の間にさらに有している）。蓋材１は断面がこのような積層構造のシートからなっているが、その外縁端５からわずかに内側において、具体的には外縁端５から２ｍｍ以内の位置（０＜ｘ≦２ｍｍ）に、蓋材表面からアルミ箔層２４まで切欠き部１０が形成されている。
【００２４】
切欠き部１０は表面のＰＥＴ層２１からアルミ箔層２４の手前まで、表面側から何らかの物理的手段によって切り欠かれて、断面溝形状となっている。このような溝状の切欠き部１０の幅は０．１〜２ｍｍ（０．１ｍｍ≦ｙ≦２ｍｍ）、好ましくは０．５〜２ｍｍ（０．５ｍｍ≦ｙ≦２ｍｍ）（蓋材表面上の幅）となっており、これによって、切欠き部１０より外側（外縁端側）の部分は極薄いアルミ箔層２４によって接続されていることになり、切欠き部１０の存在によって、外縁はごく弱い力で揺動又は変形し、ここに手指が触れる際、容易に遥動又は変形して手指を傷つけることが無い。
【００２５】
また、切欠き部１０が外縁端５よりわずかに内側に形成され、切欠き部１０の外側（外縁）に蓋材の積層構造が残されているために、切欠き部が無い場合と同様に蓋材形状が維持されやすく、外縁自体がよれてしまうことによる弊害が抑えられ、例えば、容器本体フランジ部に蓋材１を熱融着する際の位置あわせ時において、位置ズレが起ること等が防止できる。このような効果を有するための、蓋材１の切欠き部１０から外縁５までの幅ｘとしては、特に０．５〜２ｍｍが好ましい。
【００２６】
なお、位置ズレが起らないような方法で、蓋材１０を容器フランジ部に熱融着させることができる場合には、あるいは、多少の位置ズレが起っても問題ない場合は、切欠き部１０は外縁端５を含む外縁に形成されていてもよい。すなわち図２、図３のそれぞれＢに図示した実施形態１の構造であっても構わない。図３のＢは図２のＢのｂ−ｂの断面拡大図であり、この場合、切欠き部１０の幅ｙは０．５〜２ｍｍが好ましい。
【００２７】
また、溝状の切欠き部１０は複数本形成することもできる。図２、図３のそれぞれＣの構造は、切欠き部１０を二本形成したもので、実施形態２（Ａ）の変形例である。図３のＣは図２のＣのｃ−ｃ断面拡大図である。切欠き部１０を複数本に分けて形成することで、一本ごとの溝の幅を細くしても同様の効果が得られる。例えばダイカッターで切欠き部１０を形成する場合、幅広に形成することは困難なため、複数本形成することで外縁の強度を弱めることが可能である。この場合、複数本の切欠き部１０の幅の合計ｙが０．１〜２ｍｍ程度、好ましくは０．５〜２ｍｍ（蓋材表面上の幅）とすればよい。
【００２８】
なお、図１の湯切り孔付き蓋材の場合、湯切り孔開口用ハーフカット４の外側部分（平面視タブ３側の領域）には、当該部分のみに紙層２２とＰＥ層２３の間に、ワックスやシリコン等の離型剤の層が形成されており（図示せず）、当該部分だけは図３のＡの積層構造に離型剤層が付加されている。このような、湯切り孔付き蓋材の場合は、紙層２２とＰＥ層２３の間に設けた離型剤層によって、タブ３を引っ張ると紙層側（表面側）とアルミ箔側（裏面側）が分離し、ハーフカット４に沿って紙層側が蓋材本体から剥離し、アルミ箔側に形成された湯切り孔（図示せず）が開口し、当該湯切り孔から排湯できる構造となっている。なお、湯切り孔付き蓋材における湯切り部等の具体的な構造については、特許４２３５７３９号等に記載されている。
【００２９】
なお、本発明は上記図１〜図３に記載の形態に限定されるものではない。例えば、図１ではカップ入り焼きそば等の湯切りを行う蓋材を例示したが、上記のような湯切り孔構造を有さない、すなわち、湯切りを行わずに喫食するカップ麺や、スナック菓子容器等の蓋材にも適用可能であることは当然である。この場合、タブ３と湯切り孔形成用ハーフカット４は必要なく、当該部分においてワックス等離型剤の層を形成する等の必要もない。また、図１では蓋材１全周に渡って、外縁に沿って切欠き部１０を形成したが、容器本体のフランジ部からはみ出す部分の蓋材周縁部のみに形成してもよい。例えば、フランジからはみ出す可能性のある部分がタブ２、３の部分以外にない場合は、タブ２、３の部分だけに、蓋材外縁端に沿って形成しても良い。また、タブ２、３の部分だけに、切欠き部１０の本数を増やすこともできる。
【００３０】
また、図３では、いずれもＰＥＴ層２１〜シーラント層２５までを有する積層構造を示したが、紙層２２を有する積層構造であれば、さらに多数の層を積層した構造でも、幾つかの層を少なくした構造でも適宜採用できる。そして、図３においては、いずれも紙層を突き抜けてその下側の層（図３の場合アルミ箔層２４の手前）まで切欠き部１０を形成したが、少なくとも紙層２２の中間位置を越える位置まで切除すればよい。ただし、後述するように切欠き部１０を、炭酸ガスレーザで切除して作成する場合、アルミ箔層２４があればアルミ箔層２４をレーザ光が透過しないため、アルミ箔層２４の手前までを溶融、焼失させることが容易で、従って図３のような構造が好ましい。一方、ダイカッターを用いて切欠き部１０を形成する場合には、切欠き部１０がアルミ箔層２４を超えてしまうと、蓋開封時に容器本体フランジ部に蓋材外縁部分がちぎれて残る場合等があるので、紙層２２の少なくとも中間位置を越える位置まで切除すれば良い。
【００３１】
次に図１に記載の本発明の蓋材の製造方法の１例を示す。
基材として坪量８０ｇ／ｍ２の片面アート紙（２２）（アートコート面が表面側）の表面にグラビア印刷で図柄を印刷し、及び、湯切り孔形成用ハーフカット４の外側部分（平面視タブ３側の領域）の裏面側のみにシリコンを含有する剥離剤層をグラビア印刷の手法で形成した。さらに紙の表面側は印刷面保護のため、厚み１２μｍの２軸延伸ポリエチレンテレフタレートのフィルム（２１）をドライラミネーションで積層した。この積層シートの裏面側に、アルミ箔（２４）９μｍを、アルミ箔面と紙面の間に低密度ポリエチレン（２３）を２０μｍ厚として熱溶融押出しで積層して接着し、アルミ箔の裏面にはＥＶＡなどのオレフィン系樹脂からなるシーラント剤を押出しによってラミネートしてシーラント層（２５）２０μｍをアルミ箔の裏面側に形成して、本発明の蓋材に用いるシートを形成した。
【００３２】
次いで、このシートをハーフカット加工によって蓋材表面側から湯切り孔開口用ハーフカット４を、及び裏面側からび図示しない湯切り孔部ハーフカット等を形成してハーフカット加工し、抜き加工によって蓋材を得た。この蓋材を正確に位置合わせし、蓋材外縁端から１〜２ｍｍの位置を蓋材外縁に沿って一周するように、蓋材表面側から炭酸ガスレーザ（出力100W、速度1000mm/分）を照射してアルミ箔層に至るまでの層を焼失させ、溝状の切欠き部１０を幅１ｍｍで形成し、本発明の蓋材を作成した。
【００３３】
なお、上記本発明の蓋材の製造方法は一例であって、積層シートの製造方法は各種のものが可能で、積層する順序も上記のものに限らない。また、ハーフカットの作成時期も、ミシン目状等に形成するのであれば、アルミ箔層を積層する前の時点で、いずれかの層に予めハーフカットを入れることも可能である。
【００３４】
また、切欠き部１０の作成方法としては、炭酸ガスレーザを用いれば、アルミ箔層の位置の前まで簡単に焼失させることが可能で、しかも幅広に切欠き部１０を形成することが可能で好ましいが、例えばダイカッターを用いて表面側からハーフカットを入れる方法によっても切欠き部１０を形成することができる。この場合、表面側の湯切り孔開口用ハーフカット４を形成する際に、同時に切欠き部１０を作成できる点で有利である。
【００３５】
ただし、ダイカッターを用いる場合は幅広の切欠き部１０を形成することは困難なので、蓋材外縁に沿って、線状の切欠き部を複数本形成する等の手段をとることが好ましい。また、切欠き部１０を連続する線状ではなくミシン目状に形成する、あるいは、ミシン目状の切欠き部１０を複数本形成することもできる。
【００３６】
なお、アルミ箔層２４の位置まで切除せず、その手前のＰＥ層２３まで、あるいは紙層２２の中間位置以上の位置まで、切除することでもその機能を発揮する。
【符号の説明】
【００３７】
２  開口用タブ
３  湯切り孔形成用タブ
４  湯切り孔形成用ハーフカット
５  外縁端  
１０  切欠き部
２１  ＰＥＴ層
２２  紙層
２３  ポリエチレン層（合成樹脂層）
２４  アルミ箔層
２５  シーラント層
ｘ  外縁端から切欠き部までの距離
ｙ  切欠き部の幅  
【図１】
2014024560.tif 000003
【図２】
2014024560.tif 000004
【図３】
2014024560.tif 000005